(57)【要約】【課題】ベッド本体の収納空間部に大きさの異なる引き出しを設ける場合に、引き出し位置を任意に入れ替えることが可能なように収納空間部に設ける仕切り板の固定位置を変更できるようにしたベッド装置を提供することにある。【解決手段】一側面に開口する箱状体を有し、この箱状体内部に仕切り体を設けて収納部としたベッド本体と、上記収納部に出し入れ可能に設けられベッド長手方向で幅寸法の異なる複数の引き出しを有するものにおいて、複数の引き出しは、ベッド長手方向の幅寸法が大きいものと、小さいもので構成されており、大きい引き出しの幅寸法は最小の引き出しの幅寸法の整数倍に設定し、箱状体には最小の引き出しの幅寸法にあわせて設けるようにした仕切り体を挿入する複数の溝を等間隔で設けたことを特徴とする。【選択図】        図１
2004159827.tif 000002
【特許請求の範囲】
【請求項１】
一側面に開口する箱状体を有し、この箱状体内部に仕切り体を設けて収納部としたベッド本体と、上記収納部に出し入れ可能に設けられベッド長手方向で幅寸法の異なる複数の引き出しを有するものにおいて、複数の引き出しは、ベッド長手方向の幅寸法が大きいものと、小さいもので構成されており、大きい引き出しの幅寸法は最小の引き出しの幅寸法の整数倍に設定し、箱状体には最小の引き出しの幅寸法にあわせて設けるようにした仕切り体を挿入する複数の溝を等間隔で設けたことを特徴とするベッド装置。
【発明の詳細な説明】
【０００１】
【発明が属する技術分野】
この発明は、一側面に開口する箱状の収納空間部が形成されたベッド装置に関する。
【０００２】
【従来の技術】
一般に、ベッド装置はベッド本体を有し、このベッド本体の上面にはマットレスが載置される。上記ベッド本体を有効利用するため、このベッド本体に収納空間部を形成し、この収納空間部に利用者が利用しやすいように複数の引き出しを出し入れ可能に設けるようにしたベッド装置が知られている。このような構成のベッド装置はたとえば特許文献１に示されている。
【０００３】
【特許文献１】
特開平５−１３７６３１号公報
【０００４】
しかしながら、複数の引き出しが各々そのベッド長手方向に沿った幅寸法（間口寸法）が異なる場合に、一般的に利用者は引き出しの大きさに従って収容物を異なるものにしており、その引き出しの位置は利用者の使い勝手によりきめている。通常は利用者がベッドに横臥している状態で手の届きやすい位置に所望の収容物がある引き出しを設けている。
【０００５】
従来のベッド本体に設けた収納空間部の引き出しの仕切り板は固定されているので収容する大きさの引き出しは一定であるので、このため利用者の使い勝手に対応できない欠点があった。
【０００６】
【発明が解決しようとする課題】
このようにベッド本体の収納空間部に大きさの異なる引き出しを設ける場合に、引き出し位置を任意に入れ替えることが可能なように収納空間部に設ける仕切り板の固定位置を変更できるようにしたベッド装置を提供することにある。
【０００７】
【問題を解決するための手段】
一側面に開口する箱状体を有し、この箱状体内部に仕切り体を設けて収納部としたベッド本体と、上記収納部に出し入れ可能に設けられベッド長手方向で幅寸法の異なる複数の引き出しを有するものにおいて、複数の引き出しは、ベッド長手方向の幅寸法が大きいものと、小さいもので構成されており、大きい引き出しの幅寸法は最小の引き出しの幅寸法の整数倍に設定し、箱状体には最小の引き出しの幅寸法にあわせて設けるようにした仕切り体を挿入する複数の溝を等間隔で設けたことを特徴とするベッド装置にある。
【０００８】
この発明によれば、幅寸法の異なる引き出しを任意の位置に変更できることが可能となる。
【０００９】
【発明の実施の形態】
以下、図面を参照しながらこの発明の実施形態を説明する。
【００１０】
図１乃至図６はこの発明の実施形態を示し、図１に示すベッド装置はベッド本体１を備えている。このベッド本体１は、ヘッドボード２を有し、このヘッドボード２の前面の幅方向一端には側板３の長手方向一端が図示しない連結具によって着脱可能に連結されている。上記側板３の長手方向他端には、上記ヘッドボード２とほぼ同じ幅寸法のフットボード４の幅方向一端が図示しない連結具によって着脱可能に連結されている。
【００１１】
上記ヘッドボード２とフットボード４との間の幅方向一端側には、ヘッドボード２の約半分の幅寸法で、一側面が開口し、内部を収納部５とした箱状体６がその開口面をベッド本体１の幅方向の外側に向けて設けられている。上記箱状体６は図２に示すように、底板７、天板８、後板９で形成されている。
側板３と後板９の上部には受け桟１８がもうけてあり、受け桟１３上に床板１９が横架されている。
【００１２】
上記収納部５は、箱状体６の長手方向に所定間隔でもうけられてた２枚の仕切り板１０によって３つの収納部５Ａ，５Ｂ，５Ｃに隔別されている。
各収納部５には引き出し１１が出し入れ自在に収納されている。引き出し１１は上面が開放した箱形状に形成されていて、前板１１１と左右の側板１１２と後板１１３と底板１１４で構成されている。側板１１２の側面にはガイド部材１２が設けられ、このガイド部材１２が上記仕切り板１０の側面及び箱状体６の端板１３の内面にそれぞれ設けられたレール部材１４に移動可能に係合している。それによって、各引き出し１１は上記レール部材１４にガイドされて円滑に出し入れすることができるようになっている。
【００１３】
上記箱状体６の底面７の上面には仕切り板１０の下端を係合させる溝１５が等間隔で３条設けてあり、天板８には上記の溝１５に対応する位置に取り付け孔１６が穿孔されている。
仕切り板１０は下端を溝１５に挿入し、天板８の取り付け孔１６からネジなどの止着部材１７で固定する。すなわち仕切り板１０は任意の溝１５に挿入して固定することができる。
【００１４】
第６図で仕切り板１０の取り付け位置と引き出し１１の収納の関係を説明する。図（１）では、引き出し１１ａはヘッドボード２側に位置しており、収納部５Ａの幅寸法２Ｌは他の収納部５Ｂ、５Ｃ、５Ｄの幅寸法Ｌの２倍の幅寸法を有し、引き出し１１ａの幅寸法は他の引き出し１１ｂ、１１ｃ、１１ｄの２倍の幅寸法を有する。この幅寸法に応じて３枚の仕切り板１０ａ、１０ｂ、１０ｃが設けてある。したがって、仕切り板１０ｂをはずせば引き出し１１ａは収納部５Ｂ、５Ｃの位置に収納できる。また、仕切り板１０ａを溝１５ａの位置に移動すれば引き出し１１ａは、溝１５ａと溝１５ｃの間に収容されることになる。
【００１５】
図（２）では、引き出し１１ａはヘッドボード２側に位置しており、収納部５Ａの幅寸法３Ｌは他の収納部５Ｂ、５Ｃの幅寸法Ｌの３倍の幅寸法を有し、引き出し１１ｂ、１１ｃの３倍の幅寸法を有する。この幅寸法に応じて２枚の仕切り板１０ａ、１０ｂが設けてある。したがって、仕切り板１０ａ、１０ｂを溝１５ａ、１５ｂに移せば収納部５Ａの３分の１と５Ｂ、５Ｃに収納され、引き出し１１ａはフットボード４側に移動できることになる。
【００１６】
図（３）では、引き出し１１ａはヘッドボード２側に位置しており、収納部５Ａの幅寸法４Ｌは他の収納部５Ｂの幅寸法Ｌの４倍の幅寸法を有し、引き出し１１ａの幅寸法は他の引き出し１１ｂの４倍の幅寸法を有する。この幅寸法に応じて１枚の仕切り板１０ａが設けてある。この仕切り板１０ａを第１の溝１５ａの部分に設けると引き出し１１ａはフットボード４の側に移動できる。
【００１７】
上記したように、大きい引き出しと小さい引き出しの位置をベッド利用者の使い勝手により、位置を変えるようにした。すなわち、ヘッドボード側に大きい引き出しを置きたい、あるいはフットボード側に置きたいなどの要望に対応できるように、大きい引き出しの幅寸法を最小の引き出しの幅寸法の整数倍に設定し、箱状体の収納部には最小の引き出しの幅寸法に合わせて等間隔の複数の溝を設け、この溝に引き出しの幅寸法にあわせて仕切り体を設けた。
【００１８】
すなわち、仕切り板は大きい引き出しの幅寸法に合う位置の溝に移動させて設けることにより大きい引き出しを収納することができ、小さい引き出しは大きい引き出しが収納された以外の収納部の溝にあわせた仕切り板の間に収納されることになる。
【図面の簡単な説明】
【図１】この発明の実施形態を示すベッドの斜視図。
【図２】ベッド幅方向の断面図。
【図３】ベッド長手方向の断面図。
【図４】引き出し位置を変えたベッド長手方向の断面図。
【図５】仕切り板の取り付け状態を示す斜視図。
【図６】引き出し位置と収納部の仕切り板の取り付け位置を示す説明図。
【符号の説明】
１：ベッド
２：ヘッドボード
３：側板
４：フットボード
５：収納部
６：箱状体
７：底板
８：天板
９：後板
１０：仕切り板
１１：引き出し
１２：ガイド部材
１３：端板
１４：レール部材
１５：溝
１６：取り付け孔
１７：止着部材
１８：受け桟
１９：床板
【図１】
2004159827.tif 000003
【図２】
2004159827.tif 000004
【図３】
2004159827.tif 000005
【図４】
2004159827.tif 000006
【図５】
2004159827.tif 000007
【図６】
2004159827.tif 000008